(57)【要約】【課題】  開口を形成した場合に、製造コストの増大を招くことなく、強度の低下を防止することができる外壁パネルを提供する。【解決手段】  パネル部材１１の互いに対向する一対の外縁部１１ａに該各外縁部に沿って伸びるように設けられた一対の補強部材１３の板状部１７を、その大きさがパネル部材１１の各外縁部１１ａとパネル部材１１に形成された開口１４の縁部１４ａとの間の領域を覆う大きさになるように形成し、パネル部材１１の裏面１１ｃに固定された金属板１２ｂに接着する。【選択図】  図１
2006328903.tif 000002
【特許請求の範囲】
【請求項１】
パネル部材と、該パネル部材の強度を高めるべく該パネル部材の表面及び裏面にそれぞれ接着された一対の金属板と、前記パネル部材の外縁部に沿って配置され、該外縁部を補強するための補強部材とを備え、前記パネル部材には、前記各金属板を貫通する開口が形成されており、前記補強部材は、前記パネル部材の前記外縁部から少なくとも一方の前記金属板上を前記開口の縁部に向けて伸びていることを特徴とする外壁パネル。
【請求項２】
前記補強部材は、前記金属板上に配置される板状部と、該板状部の前記パネル部材の前記外縁部側の端部から前記パネル部材の前記外縁部の端面を覆うように立ち上がる立上り部とを有し、前記板状部及び立上り部は、それぞれ前記金属板及び前記パネル部材の前記外縁部の前記端面に接着されていることを特徴とする請求項１に記載の外壁パネル。
【請求項３】
前記補強部材は、前記板状部が前記パネル部材の前記裏面上に位置するように配置されており、前記パネル部材の前記裏面には、前記開口を開閉するための建具が取り付けられるフレーム部材が設けられており、該フレーム部材は、前記パネル部材の前記裏面に設けられた前記金属板及び前記補強部材の前記板状部を介して前記パネル部材に固定されていることを特徴とする請求項２に記載の外壁パネル。
【請求項４】
前記フレーム部材は、接着剤により前記補強部材の前記板状部に接着されており、更に、ネジ部材により前記金属板及び前記補強部材を介して前記パネル部材に固定されていることを特徴とする請求項３に記載の外壁パネル。  
【発明の詳細な説明】
【技術分野】
【０００１】
本発明は、開口が形成された外壁パネルに関する。
【背景技術】
【０００２】
従来、建物の外壁に、例えば石膏からなる板状のパネル部材を備える外壁パネルが用いられている（例えば、特許文献１参照。）。
【０００３】
パネル部材の表面及び裏面には、それぞれ全面に亘ってガルバリウム鋼板のような金属板が接着剤により接着されている。また、パネル部材の外縁部には、該外縁部を補強するための補強部材が該外縁部に沿って設けられている。
【０００４】
各金属板及び補強部材により、パネル部材の強度を確保することができ、従って、外力に対する所定の強度を外壁パネル全体に確保することができる。
【特許文献１】特開平９−３２８８３９号（第２−３頁、図１）
【発明の開示】
【発明が解決しようとする課題】
【０００５】
しかしながら、外壁パネルの所定の強度が、パネル部材に設けられた各金属板と補強部材とにより確保されていることから、外壁パネルに窓のような開口を形成した場合、各金属板がそれぞれ部分的に除去されるため、各金属板が除去された分、パネル部材の強度が低下し、外壁パネル全体の強度が所定の強度よりも低くなってしまう。
【０００６】
各金属板が部分的に除去されることによる外壁パネルの強度の低下を補うために、各金属板及び補強部材とは別に、新たに専用の補強部材をパネル部材に設けることが考えられるが、部品点数が増加するため、製造コストの増大を招く。
【０００７】
そこで、本発明の目的は、開口を形成した場合に、製造コストの増大を招くことなく、強度の低下を防止することができる外壁パネルを提供することにある。
【課題を解決するための手段】
【０００８】
上記課題を解決するために、本発明は、パネル部材と、該パネル部材の強度を高めるべく該パネル部材の表面及び裏面にそれぞれ接着された一対の金属板と、前記パネル部材の外縁部に沿って配置され、該外縁部を補強するための補強部材とを備え、前記パネル部材には、前記各金属板を貫通する開口が形成されており、前記補強部材は、前記パネル部材の前記外縁部から少なくとも一方の前記金属板上を前記開口の縁部に向けて伸びていることを特徴とする。
【０００９】
上記の構成によれば、パネル部材の外縁部に設けられた補強部材が、パネル部材の各外縁部から少なくとも一方の金属板上を開口の縁部に向けて伸びていることから、開口を形成する前の外壁パネル全体の強度を従来の所定の強度よりも高くすることができる。これにより、外壁パネルに開口を形成した場合、パネル部材を補強するための各金属板を部分的に除去することにより低下したパネル部材の強度を、補強部材で補うことができる。従って、開口が形成されたパネル部材に、従来の外壁パネルにおいて開口を形成する前に各金属板によりパネル部材に確保された強度とほぼ同等の強度が確保されるので、外壁パネル全体の強度が所定の強度よりも低くなることが防止される。
【００１０】
また、外壁パネルへの開口の形成時に各金属板を部分的に除去することによる外壁パネルの強度の低下分を、補強部材をパネル部材の各外縁部から開口の縁部に向けて伸びるように形成することにより補うことができることから、従来のように各金属板及び補強部材とは別に、パネル部材に新たに専用の補強部材を設ける必要はない。これにより、従来のような専用の補強部材をパネル部材に設けることによる部品点数の増大が防止されるので、製造コストの増大を確実に抑制することができる。
【００１１】
補強部材を、金属板上に配置される板状部と、該板状部のパネル部材の外縁部側の端部からパネル部材の外縁部の端面を覆うように立ち上がる立上り部とをそれぞれ有する補強部材で構成することができ、補強部材をその板状部及び立上り部で金属板及びパネル部材の外縁部の端面に接着することができる。この場合、補強部材が板状部及び立上り部で全体にほぼＬ字状をなすことから、補強部材を曲げようとする曲げ力に対する補強部材の強度が高まる。これにより、補強部材によるパネル部材への補強強度が高まるので、外力に対する外壁パネル全体の強度をより高めることができる。
【００１２】
補強部材を、その板状部がパネル部材の裏面上に位置するように配置することができ、パネル部材の裏面に、開口を開閉するための建具が取り付けられるフレーム部材を設けることができる。この場合、パネル部材の裏面に設けられた鋼板及び補強部材の板状部を介してフレーム部材をパネル部材に固定することができる。
【００１３】
これにより、フレーム部材にパネル部材を補強する補強機能を担わせることができるので、パネル部材の強度をより高めることができる。また、フレーム部材が鋼板及び補強部材の板状部を介してパネル部材に固定されていることから、開口が形成されたパネル部材にフレーム部材を直接固定する場合に比べて、パネル部材へのフレーム部材の固定強度を高めることができる。
【００１４】
フレーム部材を、補強部材の板状部に接着剤で接着することができ、更に、フレーム部材を、パネル部材にネジ部材により金属板及び補強部材を介して固定することができる。
【００１５】
これにより、フレーム部材を補強部材に単に接着剤で接着する場合またはフレーム部材をパネル部材に金属板及び補強部材を介して単にネジ部材で固定する場合に比べて、フレーム部材を補強部材により密着させることができるので、フレーム部材と補強部材との間の止水性をより確実に高めることができる。また、フレーム部材が金属板及び補強部材を介してパネル部材にネジ部材により固定されていることから、補強部材と金属板との間及び該金属板とパネル部材との間の密着度を高めることができるので、それぞれの間の止水性をより確実に高めることができる。
【００１６】
また、フレーム部材が補強部材に接着剤で接着されていることから、フレーム部材をパネル部材に固定すべくフレーム部材を補強部材に例えば溶接することによるフレーム部材及び補強部材の歪みや損傷を招くことなく、フレーム部材を容易にパネル部材に固定することができる。
【発明の効果】
【００１７】
本発明によれば、外壁パネルに窓のような開口を形成した場合に、製造コストの増大を招くことなく、外壁パネルの強度が所定の強度よりも低くなることを防止することができる。
【発明を実施するための最良の形態】
【００１８】
本発明を図示の実施例に沿って説明する。
【実施例】
【００１９】
本発明に係る外壁パネル１０は、図１に示す例では、板状のパネル部材１１と、該パネル部材を補強するための一対の金属板１２ａ，１２ｂと、パネル部材１１の互いに向かい合う外縁部を補強するための一対の補強部材１３とを備える。
【００２０】
パネル部材１１は、平面で見て矩形状をなしており、図示の例では、石膏で成形された板部材からなる。パネル部材１１の中央部には、窓となる開口１４が形成されている。パネル部材１１の板厚寸法は、図示の例では、１２．５ｍｍに設定されている。
【００２１】
各金属板１２ａ，１２ｂは、図示の例では、それぞれパネル部材１１の板厚寸法よりも薄い板厚寸法を有する鉄板の周面にアルミニウム及び亜鉛の合金鍍金を施すことにより形成されたいわゆるガルバリウム鋼板で構成されている。各金属板１２ａ，１２ｂの板厚寸法は、図示の例では、それぞれ０．２ｍｍ、０．２６ｍｍに設定されている。また、各金属板１２ａ，１２ｂは、パネル部材１１の表面１１ｂ（図１で見て、パネル部材１１の裏側に位置する面である。）及び裏面１１ｃの面積とほぼ等しい大きさを有する。各金属板１２ａ，１２ｂには、それぞれパネル部材１１に形成された開口１４に整合する開口１５，１６がそれぞれ形成されている。各金属板１２ａ，１２ｂは、例えばウレタン系、シリコン系及びアクリル系等の図示しない接着剤によりパネル部材１１の表面１１ｂ及び裏面１１ｃにそれらの全面に亘って接着されている。これにより、各金属板１２ａ，１２ｂがパネル部材１１と一体的になるので、各金属板１２ａ，１２ｂによりパネル部材１１が補強される。
【００２２】
各金属板１２ａ，１２ｂをパネル部材１１の表面１１ｂ及び裏面１１ｃに接着させる際、前記接着剤が塗布されたパネル部材１１の表面１１ｂ及び裏面１１ｃ上に金属板１２ａ，１２ｂをそれぞれ配置し、パネル部材１１をその表面１１ｂ側及び裏面１１ｃ側から挟み込むように配置された図示しない複数のローラ間にパネル部材１１を通過させる。これにより、前記各ローラから各金属板１２ａ，１２ｂにパネル部材１１の表面１１ｂ及び裏面１１ｃへ向けての押し付け力を作用させ、各金属板１２ａ，１２ｂをパネル部材１１の表面１１ｂ及び裏面１１ｃに密着させる。その後、前記接着剤を固化させることにより、パネル部材１１への各金属板１２ａ，１２ｂの接着が終了する。
【００２３】
また、パネル部材１１及び各金属板１２ａ，１２ｂにそれぞれ開口１４，１５及び１６を形成する際、パネル部材１１に各金属板１２ａ，１２ｂを接着した状態で、例えば従来よく知られたルーター加工法を用いることにより、パネル部材１１及び各金属板１２ａ，１２ｂに開口１４，１５及び１６を形成することができる。
【００２４】
各補強部材１３は、図１及び図２に示す例では、パネル部材１１の図１で見て左右方向で互いに対向する一対の外縁部１１ａに該各外縁部に沿って配置されている。各補強部材１３は、例えば鉄のような金属製の板部材からなり、図２に示すように、板状部１７と、該板状部の一方の端部１７ａから立ち上がる立上り部１８とをそれぞれ有し、全体的にＬ字状の横断面を有する。各板状部１７及び各立上り部１８の板厚寸法は、図示の例では、それぞれ１．２ｍｍに設定されている。
【００２５】
各板状部１７は、それぞれパネル部材１１の上下方向の長さ寸法とほぼ等しい長さ寸法を有し、パネル部材１１の外縁部１１ａとパネル部材１１の内縁部すなわち開口１４の縁部１４ａとの間でパネル部材１１を覆う大きさを有する。各立上り部１８は、それぞれパネル部材１１の各外縁部１１ａの端面２２を覆う大きさを有する。
【００２６】
各補強部材１３は、図示の例では、その各板状部１７がそれぞれパネル部材１１の裏面１１ｃに設けられた金属板１２ｂ上に位置するように配置されており、各板状部１７及び各立上り部１８が金属板１２ｂ及びパネル部材１１の各外縁部１１ａの端面２２にそれぞれ前記したような接着剤により接着されることにより、パネル部材１１に固定されている。これにより、パネル部材１１の各外縁部１１ａがそれぞれパネル部材１１の裏面１１ｃ側から各補強部材１３により覆われた状態で、各補強部材１３がパネル部材１１及び金属板１２ｂと一体的になるので、パネル部材１１の各外縁部１１ａが各補強部材１３により補強される。
【００２７】
パネル部材１１には、その裏面１１ｃ側で、開口１４を開閉するための図示しない扉のような建具が取り付けられるフレーム部材１９が設けられている。フレーム部材１９は、図１及び図２に示す例では、開口１４の左右の両側で該開口の縁部１４ａに沿って伸びる一対の縦枠部２０で構成されている。各縦枠部２０は、縦断面がＵ字状をなしており、開口１４の外方へ開放するように配置されている。各縦枠部２０は、各補強部材１３の板状部１７に接着剤により接着されており、更に、パネル部材１１の裏面１１ｃに設けられた金属板１２ｂ及び各補強部材１３の板状部１７を介してパネル部材１１に複数のネジ部材２１により固定されている。
【００２８】
本実施例によれば、前記したように、パネル部材１１の各外縁部１１ａに設けられた各補強部材１３の板状部１７が、それぞれパネル部材１１の各外縁部１１ａと開口１４の縁部１４ａとの間でパネル部材１１を覆う大きさを有することから、パネル部材１１の各外縁部１１ａに従来のように単に各外縁部に沿って伸びるように補強部材を形成した場合に比べて、開口１４，１５，１６を形成する前の外壁パネル１０全体の強度を従来の所定の強度よりも高くすることができる。これにより、パネル部材１１及び各金属板１２ａ，１２ｂに開口１４，１５，１６を形成した場合、パネル部材１１を補強するための各金属板１２ａ，１２ｂを部分的に除去することにより低下したパネル部材１１の強度を、各補強部材１３の板状部１７で補うことができる。これにより、開口１４が形成されたパネル部材１１に、従来の外壁パネルにおいて開口を形成する前に各金属板によりパネル部材１１に確保された強度とほぼ同等の強度が確保されるので、外壁パネル１０全体の強度が所定の強度よりも低くなることを防止することができる。
【００２９】
また、前記したように、パネル部材１１への開口１４の形成時に各金属板１２ａ，１２ｂを部分的に除去することによる外壁パネル１０の強度の低下分を、各補強部材１３の各板状部１７で容易に補うことができることから、従来のように各金属板１２ａ，１２ｂ及び各補強部材１３とは別に、パネル部材１１に新たに専用の補強部材を設ける必要はない。これにより、従来のような専用の補強部材をパネル部材１１に設けることによる部品点数の増大が防止されるので、製造コストの増大を確実に抑制することができる。
【００３０】
更に、前記したように、各補強部材１３の横断面がＬ字状をなしていることから、各補強部材１３を曲げようとする曲げ力に対する各補強部材１３の強度が高まる。これにより、各補強部材１３によるパネル部材１１への補強強度が高まるので、外力に対する外壁パネル１０全体の強度をより高めることができる。
【００３１】
また、前記したように、各縦枠部２０が、それぞれパネル部材１１に固定されていることから、各縦枠部２０にパネル部材１１を補強する補強機能を担わせることができるので、パネル部材１１の強度をより高めることができる。
【００３２】
また、各縦枠部２０が、前記したように、それぞれ金属板１２ｂ及び各補強部材１３を介してパネル部材１１に固定されていることから、開口１４が形成されたパネル部材１１に各縦枠２０を直接固定する場合に比べて、パネル部材１１への各縦枠２０の固定強度をより高めることができる。
【００３３】
更に、各縦枠２０が、前記したように、それぞれ各補強部材１３の板状部１７に接着剤で接着されており、更に、複数のネジ部材２１により金属板１２ｂ及び各補強部材１３を介してパネル部材１１に固定されていることから、各縦枠部２０を各補強部材１３に単に接着剤で接着する場合または各縦枠部２０をパネル部材１１に金属板１２ｂ及び各補強部材１３を介して単にネジ部材２１で固定する場合に比べて、各縦枠部２０を各補強部材１３により密着させることができるので、各縦枠部２０と各補強部材１３との間の止水性をより確実に高めることができる。また、各縦枠部２０が金属板１２ｂ及び各補強部材１３を介してパネル部材１１に複数のネジ部材２１により固定されていることから、各補強部材１３と金属板１２ｂとの間及び該金属板とパネル部材１１との間の密着度を高めることができるので、それぞれの間の止水性をより確実に高めることができる。
【００３４】
従来、各縦枠２０をパネル部材１１に設けられた各補強部材１３に例えば溶接により固定していたが、溶接時に発生する熱により、各縦枠２０及び各補強部材１３に歪みや破損が生じる虞がある。
【００３５】
これに対し、本実施例によれば、前記したように、各縦枠２０が各補強部材１３の板状部１７に接着剤により接着されていることから、パネル部材１１への各縦枠２０の固定時に熱が発生することはないので、各縦枠２０を各補強部材１３に溶接することによる各縦枠２０及び各補強部材１３の歪みや損傷を招くことなく、各縦枠２０を容易にパネル部材１１に固定することができる。
【００３６】
本実施例では、各補強部材１３が、それぞれパネル部材１１の裏面１１ｃに設けられた金属板１２ｂ上に配置される板状部１７を有する例を示したが、これに代えて、図示しないが、パネル部材１１の表面１１ｂ及び裏面１１ｃに設けられた各金属板１２ａ，１２ｂ上に配置される一対の板状部を有する補強部材を本発明に適用することができる。この場合、各補強部材の各板状部の大きさを、パネル部材１１の各外縁部１１ａと開口１４の縁部１４ａとの間でパネル部材１１を覆う大きさに設定することにより、パネル部材１１の強度をより高めることができ且つパネル部材１１及び各金属板１２ａ，１２ｂに開口１４，１５，１６を形成したときに各金属板１２ａ，１２ｂを部分的に除去することにより低下したパネル部材１１の強度を各補強部材１３の板状部１７でより確実に補うことができる。
【００３７】
また、本実施例では、パネル部材１１が石膏で形成された例を示したが、これに代えて、パネル部材１１を、例えば発泡コンクリートで形成することができ、石膏以外の材料で形成することができる。
【００３８】
更に、各金属板１２ａ，１２ｂが、それぞれガルバリウム金属板で構成された例を示したが、これに代えて、各金属板１２ａ，１２ｂを、例えば亜鉛からなる亜鉛金属板及びアルミニウムからなるアルミ金属板等で構成することができ、ガルバリウム金属板以外の金属板で構成することができる。
【００３９】
また、本実施例では、フレーム部材１９が、一対の縦枠部２０で構成された例を示したが、各縦枠部２０に加えて、図３に示すように、パネル部材１１の開口１４の上側及び下側で開口１４の縁部１４ｂに沿って配置され、各縦枠部２０をそれらの両端で連結する一対の横枠部２２でフレーム部材１９を構成することができる。
【００４０】
各横枠部２２は、図示の例では、その両端部２２ａで各補強部材１３の板状部１７に接着剤により接着されており、更に、複数のネジ部材２３により各補強部材１３及び金属板１２ｂを介してパネル部材１１に固定されている。
【００４１】
これにより、各横枠部２０にパネル部材１１を補強する補強機能を担わせることができるので、パネル部材１１の強度をより高めることができ、また、パネル部材１１への前記建具の取付強度をより高めることができる。
【図面の簡単な説明】
【００４２】
【図１】本発明に係る外壁パネルを概略的に示す斜視図である。
【図２】図１のI−I線に沿った横断面図である。
【図３】パネル部材に一対の縦枠部に加えて一対の横枠部が設けられた例を概略的に示す斜視図である。
【符号の説明】
【００４３】
１０  外壁パネル
１１  パネル部材
１１ａ  外縁部
１１ｂ  表面
１１ｃ  裏面
１２ａ，１２ｂ  金属板
１３  補強部材
１４  開口
１７  板状部
１７ａ  端部
１８  立上り部
１９  フレーム部材
２２  端面
２１  ネジ部材
【図１】
2006328903.tif 000003
【図２】
2006328903.tif 000004
【図３】
2006328903.tif 000005